(57)【特許請求の範囲】
【請求項１】
項目をデータの上位階層とするデータベースから項目別にデータを検索する情報検索処理装置であって、
通信回線を介して離れた場所のデータベースにアクセスする通信手段と、アクセスしたデータの項目を記憶する項目記憶手段と、前記アクセスした時刻を検出するアクセス時刻検出手段と、前記項目記憶手段に記憶した項目毎に、前記アクセス時刻検出手段により検出したアクセス時刻及び時刻刻み毎のアクセス回数を記憶する時刻別アクセス回数記憶手段と、前記時刻別アクセス回数記憶手段により記憶した当該項目におけるアクセス回数が最も多い時刻になったとき、当該項目の最新データを前記データベースから自動的に検索する検索手段と、前記検出した最新データを取り出す手段と、を有することを特徴とする情報検索処理装置。
【発明の詳細な説明】
【０００１】
【発明の属する技術分野】
本発明は情報検索処理装置に関し、特にデータベースにアクセスした項目を記憶し、あるいはアクセスした回数や時刻を記憶し、記憶された項目、回数、時刻に基づく項目の最新データをデータベースから自動的に取り出すことのできる情報検索処理装置に関する。
【０００２】
【従来の技術】
情報検索装置において、情報に対するアクセス頻度を検出して検索を容易にしたり、キーワードにより情報を重みづけすることは従来より行われている。例えば、特開平６−３０１７２３号公報には、同一装置内の外部記憶装置に記憶されている元情報へのアクセス頻度に応じて、その部分へのアクセスを容易にした情報検索装置が記載されている。また、特開平７−１９２００９号公報には、元情報の特徴を表現するキーワードと情報の発生時刻、及び情報を入力した時刻を格納するデータベースを備える情報検索装置が記載されている。
【０００３】
【発明が解決しようとする課題】
前記従来技術は、同一装置内など狭い範囲での情報（データ）へのアクセスに利用するものであり、離れた場所の目的の情報（データ）を得るためには階層構造になったデータベースから順次階層を下りながら情報を探す必要があり、目的のデータに行き着くまでに手間がかかる。
【０００４】
特開平６−３０１７２３号公報では、同一装置内の外部記憶装置に記録されている元情報へのアクセス頻度に応じて、その部分へのアクセスを容易にするようになっているが、アクセスするのはアクセス頻度の多い元情報だけであり、元情報も同一装置内の外部記憶装置に限定されていた。また、アクセスする元情報としては常に同じ情報であった。
【０００５】
また、特開平７−１９２００９号公報では、元情報の特徴を表現するキーワードと情報の発生時刻、及び情報を入力した時刻を格納するデータベースを備えるようになっているが、予めキーワードを記録した特別なデータベースの作成が必要であり、そのためアクセスする元情報としては常に同じ情報であった。
【０００６】
本発明は、元情報を同一装置内に限定せず、また元情報の項目を記録し、その記録した項目でアクセスするようにして元情報も限定しないことで汎用性を持たせ、また離れた場所のデータベースのアクセスが容易な情報検索処理装置を提供することを目的とする。
【０００７】
また、本発明は、予めキーワードを記録した特別なデータベースを作成する必要をなくして自由度を大きくすることができ、また離れた場所のデータベースのアクセスが容易な情報検索処理装置を提供することを目的とする。
【０００８】
また、本発明は、アクセス頻度だけでなくアクセスした時刻も記録し、その記録した時刻にアクセスする、あるいはアクセスした時刻と頻度も記録し、アクセス頻度の多い時刻の元情報にアクセスすることで使用範囲を広げることができ、また離れた場所のデータベースのアクセスが容易な情報検索処理装置を提供することを目的とする。
【０００９】
アクセスすべき元情報としては、本当に必要な情報のみでなく、その情報に関連する元情報がある。本発明は、また、元情報だけでなくアクセスした元情報のカテゴリーも記録し、その関連するカテゴリーへのアクセスも容易にすることで使用範囲を広げることができ、また離れた場所へのデータベースへのアクセスを容易にした情報検索処理装置を提供することを目的とする。
【００１０】
使用者にとって必要な情報が元情報のどこにあるのかは、実際には分からない。本発明は、また、アクセス頻度、アクセス時刻、アクセス時刻の頻度、カテゴリーなどアクセスのための情報記録を行い、アクセスを容易にするためにこのようにして記録した情報を表示することで、元情報へのアクセスに対して制限を無くした情報検索処理装置を提供することを目的とする。
【００１１】
また、本発明は、アクセスする元情報は限定しないで自由度を大きくすることができ、離れた場所のデータベースへのアクセスを容易にし、関連する項目の情報を同時に取り出すことで使用者にとって必要な情報を広げるとともに、本当に必要な情報へのヒット率を高めることのできる情報検索処理装置を提供することを目的とする。
【００１２】
【課題を解決するための手段】
通信回線やＬＡＮなど通信手段を使うことにより離れた場所のデータベース（元情報）へのアクセスを可能とし、扱うデータベースも特別なデータベースに限定しない。アクセスしたデータの項目を記憶することで関連するデータへのアクセスを可能とする。また、２回目以降のデータベースへのアクセスに対して、利用する情報がアクセス頻度のみで自由度が少ないという従来技術の問題点は、アクセス頻度以外にもアクセスした時刻、データのカテゴリーなどの情報を記憶し、アクセス時の条件で多様な組み合わせを行うことによって解決する。
【００１３】
本発明によると、項目をデータの上位階層とするデータベースから項目別にデータを検索する情報検索処理装置であって、通信回線を介して離れた場所のデータベースにアクセスする通信手段と、アクセスしたデータの項目を記憶する項目記憶手段と、前記アクセスした時刻を検出するアクセス時刻検出手段と、前記項目記憶手段に記憶した項目毎に、前記アクセス時刻検出手段により検出したアクセス時刻及び時刻刻み毎のアクセス回数を記憶する時刻別アクセス回数記憶手段と、前記時刻別アクセス回数記憶手段により記憶した当該項目におけるアクセス回数が最も多い時刻になったとき、当該項目の最新データを前記データベースから自動的に検索する検索手段と、前記検出した最新データを取り出す手段と、を有する。
【００２６】
【発明の実施の形態】
以下、図面を用いて本発明の実施の形態を説明する。
図１は、本発明の学習機能を有する情報検索処理装置の一例を示したシステム構成図である。ＣＰＵ１は本処理装置全体の処理動作を制御する制御装置であって、一般的な中央演算処理装置や入出力制御装置などで構成されている。表示部２は、例えばＣＲＴ表示装置や液晶表示装置などの表示装置で構成され、入力部３から入力されたデータや記憶部４、アクセス用記憶部５に記憶されたデータ、あるいは処理出力データなどを表示するのに使用される。入力部３は、キーボードやマウスなどの入力装置で構成され、文字を入力したり、表示画面上のカーソル位置を指定したり、各種の処理指示などに使用される。
【００２７】
記憶部４はＲＯＭ、ＲＡＭ、ハードディスクなどで構成され、本処理装置を制御するためのプログラムや、各入力手段から入力されたデータを記憶し、あるいは各種処理を行う際の一時記憶に使用したり、処理結果を記憶するなどのために使用される。アクセス用記憶部５は、ＲＡＭなどで構成され、アクセスしたデータのカテゴリーを記憶するカテゴリー記憶部６、項目を記憶する項目記憶部８、アクセス時刻を記憶する時刻記憶部１０やアクセス回数を記憶するカテゴリーカウンター７、項目カウンター９、時刻カウンター１１を有し、その記憶した内容を表示部２に表示したりする処理に使用される。
【００２８】
外部出力装置１２はレーザプリンタやインクジェットプリンタなどの一般的な出力装置で構成され、取り出したデータの印刷や、記憶部４、アクセス用記憶部５に記憶されている内容を出力したりする処理に使用される。外部記憶装置１３はフロッピーディスクドライブや光磁気ディスクドライブなどの一般的な記憶装置で構成され、取り出したデータの記憶や記憶部４、アクセス用記憶部５に記憶されている内容をバックアップのために記憶したりする処理に使用される。時計部１４は時計機能を有し、アクセスした時刻を記憶したりする処理に使用される。
【００２９】
通信装置１５はモデムやＲＳ−２３２Ｃインターフェースなどの一般的な通信手段に用いる通信装置で構成され、離れた場所のデータベースとの接続に使用される。データベース１６は、ＬＡＮにて接続されたファイルサーバに記憶されているデータや一般的なネットワークに接続され、使用者がアクセスできるデータベースであり、特に制限はない。
【００３０】
図２は、記憶部４のアクセス用記憶部５の内部構成の一例を示した説明図である。アクセス用記憶部５内には、各カテゴリーを記憶するカテゴリー記憶部６にそれぞれのカテゴリーに含まれる項目を記憶する項目記憶部８が体系付けられて存在し、さらにそれぞれの項目にアクセスした時刻を記憶する時刻記憶部１０及びそれぞれのアクセス回数を記憶するカテゴリーカウンター７、項目カウンター９、時刻カウンター１１で構成され、アクセスを容易にするための必要なデータを記憶する。
【００３１】
以下、図１に示した情報検索処理装置の構成、図２に示したアクセス用記憶部５の内部構成、表示部２に表示される表示画面を表した図７、図８、及び図３〜図６、図９〜図１４の各フローチャートを用いて、本発明による情報検索処理装置の機能について詳細に説明する。データベースの構成は、１番上の階層がカテゴリー、２番目の階層が項目であって、最終階層にデータが格納されているものとする。
【００３２】
最初に、記憶部４内のアクセス用記憶部５への情報取り込みについて説明する。図３は、アクセス用の情報取り込みの一例を説明するフローチャートである。データベースにアクセスする際には、通常そのデータベースのカテゴリーを指定し、次に項目を指定することで目的のデータを取り出す。本発明では、このデータベースへのアクセス操作の過程で以後のアクセスを容易にするための情報を抽出する。  図３のステップ１１において通信装置１５で接続されたデータベース１６へアクセスし、カテゴリーを指定する（ステップ１２）と、指定したカテゴリーをアクセス用記憶部５のカテゴリー記憶部６に格納し（ステップ１３）、そのカテゴリー記憶部に該当するカテゴリーカウンター７を１だけカウントアップする（ステップ１４）。続いて、ステップ１５において項目を指定すると、その項目をアクセス用記憶部５の項目記憶部８に記憶し（ステップ１６）、格納した項目記憶部に該当する項目カウンター９を１だけカウントアップする（ステップ１７）。このようにして、アクセスしたデータベースのカテゴリーと項目の種別、及びカテゴリーごとのアクセス回数、項目ごとのアクセス回数の情報がアクセス用記憶部５に蓄積される。
【００３３】
なお、後述するように、情報処理検索装置が自動的にデータベースにアクセスするモードになっている場合、ステップ１２のカテゴリーの指定やステップ１５の項目の指定は、使用者が入力部３からいちいち指示しなくとも自動的に行われる。
図４は、アクセス用の情報取り込みの他の例を説明するフローチャートである。この例では、データベースへのアクセス用の情報として、図３の例に加えてアクセス時刻を用いる。
【００３４】
図４のステップ２１において通信装置１５で接続されたデータベース１６へアクセスし、カテゴリーを指定する（ステップ２２）と、指定したカテゴリーをアクセス用記憶部５のカテゴリー記憶部６に格納し（ステップ２３）、そのカテゴリー記憶部に該当するカテゴリーカウンター７を１だけカウントアップする（ステップ２４）。続いて、ステップ２５において項目を指定すると、その項目にアクセスした時刻を時計部１４から検出する（ステップ２６）。
【００３５】
そして、検出した時刻を該当する項目の時刻記憶部１０に格納し（Ｓ２７）、格納した時刻記憶部に該当する時刻カウンター１１のカウント値を１だけカウントアップする（Ｓ２８）。このようにして、データベースの各項目にアクセスした時刻及び時刻ごとのアクセス回数の情報がアクセス用記憶部５に蓄積される。時刻記憶部１０に記憶される時刻は図の例では５分刻みとなっているが、この時刻の刻みは使用者が適宜設定できるものとする。
【００３６】
次に、表示部２への表示処理を説明する図５及び図６のフローチャートを参照して、表示部２の表示画面について説明する。図７は、表示部２の表示画面の一例を示す図である。画面の右側には項目またはカテゴリーを表示する表示欄２０があり、図７の表示例では以前にデータベースにアクセスしたデータの項目ａ，ｃ，ｄ，ｂ，ｅが表示されている。表示欄２０の下方にはアクセス頻度指示ボタン２１が表示されている。また、画面の下側には表示切り替えボタンとアクセス指示ボタンが表示されている。表示切り替えボタンは最新項目指示ボタン２２とカテゴリー指示ボタン２３からなり、アクセス指示ボタンは時刻アクセス指示ボタン２４と優先時刻指示ボタン２５からなる。
【００３７】
図５を参照して、ステップ３１においてカテゴリー指示ボタン２３が押されているかどうか判定し、押されている場合には図６のフローに移る。ステップ３１の判定がＮＯの場合、ステップ３２に進んで項目記憶部８に記憶されている内容を表示する。その後、ステップ３４においてアクセス頻度指示ボタン２１が押されているかどうか判定し、押されている場合はステップ３５に進み、項目カウンター９に記憶されている数値をもとに項目記憶部８に記憶されている項目をアクセス回数の多い順に並び替えて表示部２の表示欄２０に表示する。表示する項目の数についてはプログラムで制限することが可能で、その制限された数を超えるアクセス回数の少ない項目は表示から除外される。
【００３８】
ステップ３４の判定がＮＯの場合、ステップ３６に進んで、最新項目指示ボタン２２が押されているかどうか判定する。この判定がＹＥＳの場合、アクセス用記憶部５の時刻記憶部１０に記憶されているアクセス時刻をもとに、項目記憶部８に記憶されている項目をアクセス時刻の新しい順に並び替えて表示部２の表示欄２０に表示する。表示する項目の数についてはプログラムで制限することが可能で、その制限された数を超える古い項目は表示から除外される。
【００３９】
ステップ３１の判定がＹＥＳの場合、図６のステップ４１に進んでカテゴリー記憶部６に記憶されているカテゴリーを検出し（ステップ４２）、検出したカテゴリーを図８（ａ）に示すように表示部２の右側の表示欄２０に表示する。続いて、表示欄２０に表示されたカテゴリーの種別３１に対して使用者が入力部３から指示を出す（表示されたカテゴリーの種別３１をクリックする）と、ステップ４３からステップ４４を経てステップ４６に進み、項目記憶部８に記憶されているそのカテゴリーの種別を表示部２の表示欄２０に表示する。また、同時に、指示されたカテゴリーをもとに自動的にデータベース１６にアクセスし、項目記憶部６に記憶されていない項目を取り出し表示部２の表示欄２０に表示する。このとき、取り出した項目は項目記憶部６に記憶する。
【００４０】
図８（ａ）に示すように表示部２の表示欄２０に検出されたカテゴリーが表示されているときアクセス頻度指示ボタン２１を押すと、ステップ４３からステップ４５に進み、カテゴリーカウンター７とカテゴリー記憶部６に記憶されている内容をもとに、アクセス回数の最も多いカテゴリーを検出し、ステップ４６に進んで、項目記憶部８に記憶されているそのカテゴリーの種別を表示部２の表示欄２０に表示する。また、同時に、指示されたカテゴリーをもとに自動的にデータベース１６にアクセスし、項目記憶部６に記憶されていない項目を取り出し表示部２の表示欄２０に表示する。このとき、取り出した項目は項目記憶部６に記憶する。
【００４１】
このようにして、いずれの場合においても、表示部２の表示欄２０にはあるカテゴリーの種別が所定の順序で表示された状態になる。次に、図９〜図１４のフローチャートを参照して、データベースへアクセスしてデータを取り出す方法の例について説明する。
【００４２】
図９は、使用者の直接の指示によって所望の項目のデータを取り出す手順を説明するフローチャートである。使用者が表示部２の表示欄２０に表示されている項目の一つをクリックしてその項目へのアクセスを指示すると、図９のステップ５１において、指示のあった項目のアドレス等の情報を項目記憶部８から検出する。また、ステップ５２において、検出した項目に該当するカテゴリーのアドレス等の情報をアクセス用記憶部５のカテゴリー記憶部６から検出する。そして、ステップ５３において、ステップ５１及びステップ５２で検出したカテゴリー及び項目の情報をもとに、データベースから該当する項目の最新のデータを取り出し、表示部２に表示する。
【００４３】
自動的にデータベースへアクセスするモードの一例、すなわち一度データベースにアクセスしたデータの項目について、使用者がアクセスの指示を与えることにより、以前にアクセスした時刻になると該当する項目のデータを自動的にデータベースから取り出すモードについて、図１０のフローチャートを参照して説明する。
【００４４】
この自動アクセスモードは、時刻アクセス指示ボタン２４を押すことにより設定される。この自動アクセスモードが設定されているかどうかは、例えば時刻アクセス指示ボタン２４が反転表示されているかどうかで確認することができ、自動アクセスモードの解除は再び時刻アクセス指示ボタン２４を押すことで行われる。
【００４５】
時刻アクセス指示ボタン２４が押されていると、ステップ６１、ステップ６２を反復実行して、時計部１４の時刻が時刻記憶部１０に記憶されている時刻になったかどうかを判定する。時計部１４の時刻が時刻記憶部１０に記憶されている時刻になると、ステップ６３に進んで、検出された時刻になった項目のアドレス等の情報を項目記憶部８から検出し、ステップ６４に進んで、検出した項目に該当するカテゴリーの情報をカテゴリー記憶部６から検出する。その後、ステップ６５において、検出したカテゴリー、項目をもとにデータベースから該当する項目のデータを取り出し、表示部２に表示する。
【００４６】
図１１は、自動的にデータベースへアクセスするモードの他の例を説明するフローチャートである。この自動アクセスモードは、優先時刻指示ボタン２５を押すことにより設定される。この自動アクセスモードが設定されているかどうかは、例えば優先時刻指示ボタン２５が反転表示されているかどうかで確認することができ、自動アクセスモードの解除は再び優先時刻指示ボタン２５を押すことで行われる。
【００４７】
このモードでは、一度データベースにアクセスしたデータの項目について、使用者がアクセスの指示を与えておくことにより、以前にアクセスした項目のうちでアクセス時刻の最も多い時刻になると該当する項目のデータをデータベースから自動的に取り出して表示する。
【００４８】
優先時刻指示ボタン２５が押されていると、図１１のステップ７１において、時刻カウンター１１と時刻記憶部１０により数字の最も大きな時刻を検出する。その後、ステップ７２、ステップ７３を反復実行して、時計部１４の時刻が検出した時刻になったかどうかを判定する。時計部１４の時刻が検出した時刻になると、ステップ７４に進んで、検出された時刻になった項目のアドレス等の情報を項目記憶部８から検出し、ステップ７５に進んで、検出した項目に該当するカテゴリーの情報をカテゴリー記憶部６から検出する。その後、ステップ７６において、検出したカテゴリー、項目をもとにデータベースから該当する項目のデータを取り出し、表示部２に表示する。
【００４９】
図１２は、使用者の直接の指示によって所望の項目のデータ及びそれに関連する項目のデータを取り出す手順を説明するフローチャートである。使用者が表示部２の表示欄２０に表示されている項目の一つをクリックしてその項目へのアクセスを指示すると、図１２のステップ８１において、指示のあった項目のアドレス等の情報を項目記憶部８から検出する。また、ステップ８２において、検出した項目に該当するカテゴリーのアドレス等の情報をアクセス用記憶部５のカテゴリー記憶部６から検出する。そして、ステップ８３において、ステップ８１及びステップ８２で検出したカテゴリー及び項目の情報をもとに、データベースから該当する項目の最新のデータを取り出す。その後、ステップ８４に進み、使用者が指示した項目と同じカテゴリー内の関連する項目のデータをデータベースから取り出し、表示部２に表示する。
【００５０】
図１３は、自動的にデータベースへアクセスするモードの他の例、すなわち一度データベースにアクセスしたデータの項目について、使用者がアクセスの指示を与えることにより、以前にアクセスした時刻になると該当する項目のデータ及びそれに関連する項目のデータを自動的にデータベースから取り出すモードについて説明するフローチャートである。
【００５１】
この自動アクセスモードは、時刻アクセス指示ボタン２４を押すことにより設定される。この自動アクセスモードが設定されているかどうかは、例えば時刻アクセス指示ボタン２４が反転表示されているかどうかで確認することができ、自動アクセスモードの解除は再び時刻アクセス指示ボタン２４を押すことで行われる。
【００５２】
時刻アクセス指示ボタン２４が押されていると、ステップ９１、ステップ９２を反復実行して、時計部１４の時刻が時刻記憶部１０に記憶されている時刻になったかどうかを判定する。時計部１４の時刻が時刻記憶部１０に記憶されている時刻になると、ステップ９３に進んで、検出された時刻になった項目のアドレス等の情報を項目記憶部８から検出し、ステップ９４に進んで、検出した項目に該当するカテゴリーの情報をカテゴリー記憶部６から検出する。その後、ステップ９５において、検出したカテゴリー、項目をもとにデータベースから該当する項目のデータを取り出し、表示部２に表示する。続いて、ステップ９６に進み、検出した項目と同じカテゴリーの関連する項目のデータをデータベースから取り出し、表示部２に表示する。
【００５３】
図１４は、自動的にデータベースへアクセスするモードの他の例を説明するフローチャートである。この自動アクセスモードは、優先時刻指示ボタン２５を押すことにより設定される。この自動アクセスモードが設定されているかどうかは、例えば優先時刻指示ボタン２５が反転表示されているかどうかで確認することができ、自動アクセスモードの解除は再び優先時刻指示ボタン２５を押すことで行われる。
【００５４】
このモードでは、一度データベースにアクセスしたデータの項目について、使用者がアクセスの指示を与えておくことにより、以前にアクセスした項目のうちでアクセス時刻の最も多い時刻になると該当する項目のデータ及びそれに関連する項目のデータをデータベースから自動的に取り出して表示する。
【００５５】
優先時刻指示ボタン２５が押されていると、図１４のステップ１０１において、時刻カウンター１１と時刻記憶部１０により数字の最も大きな時刻を検出する。その後、ステップ１０２、ステップ１０３を反復実行して、時計部１４の時刻が検出した時刻になったかどうかを判定する。時計部１４の時刻が検出した時刻になると、ステップ１０４に進んで、検出された時刻になった項目のアドレス等の情報を項目記憶部８から検出し、ステップ１０５に進んで、検出した項目に該当するカテゴリーの情報をカテゴリー記憶部６から検出する。その後、ステップ１０６において、検出したカテゴリー、項目をもとにデータベースから該当する項目のデータを取り出し、表示部２に表示する。続いて、ステップ１０７に進み、検出した項目と同じカテゴリーの関連する項目のデータをデータベースから取り出し、表示部２に表示する。
【００５６】
【発明の効果】
本発明によると、アクセスしたデータベースの項目を記憶した項目を表示することにより、従来の都度項目を選択または入力していた操作を無くすことができる。すなわち、同じ項目にアクセスする場合に容易な操作でデータを取り出すことができる。
【００５７】
また、アクセスしたデータベースの項目、及びアクセスした回数を記憶した項目をアクセス回数の多い順に表示することにより、使用者自身がよく取り出すデータの項目が何であるかが分かる。また、よく取り出すデータの項目が常に表示されていることになるので、その項目へのアクセスが容易になる。
【００５８】
また、データベースにアクセスした時刻を記憶し、時計機能と連動させることにより、使用者はアクセスの指示を与えておくだけで自動的にデータを取り出せる。すなわち、アクセスしたい時刻に使用者がアクセスの操作をしなくても必要なデータを収集することができる。
【００５９】
また、データベースにアクセスした時刻とその時刻にアクセスした回数を記憶し、時計機能と連動させることにより、使用者はアクセスの指示を与えておくだけで自動的にデータを取り出せる。すなわち、アクセスしたい時刻に使用者がアクセスの操作をしなくても必要なデータを収集することができる。
【００６０】
また、アクセスしたデータベースのカテゴリーとそのカテゴリーにアクセスした回数を記憶して、その記憶したカテゴリーをアクセス回数の多い順に表示することにより、使用者自身がよく取り出すデータのカテゴリーが何であるかが分かる。また、よく取り出すデータのカテゴリーが指示を与えることで常に表示されることになるので、そのカテゴリーへのアクセスが容易になる。
【００６１】
また、データベースにアクセスした項目、カテゴリー、時刻を記憶し、その記憶した項目、カテゴリーを表示して、時刻によるアクセスをすることにより、データを取り出したい項目、カテゴリーへのアクセスが容易になるとともに使用者にとって必要なデータの収集が容易になる。
【００６２】
また、データにアクセスした項目、カテゴリー、時刻を記憶し、その記憶した項目、カテゴリーを表示、また時刻によるアクセスをすることより、データを取り出したい項目、カテゴリーへのアクセスが容易になるとともに関連する項目のデータも同時に取り出すことで、使用者にとって必要なデータの収集が容易になる。
【図面の簡単な説明】
【図１】本発明の学習機能を有する情報検索処理装置の一例を示したシステム構成図。
【図２】記憶部のアクセス用記憶部の内部構成の一例を示した説明図。
【図３】アクセス用の情報取り込みの一例を説明するフローチャート。
【図４】アクセス用の情報取り込みの他の例を説明するフローチャート。
【図５】表示部２への表示処理を説明するフローチャート。
【図６】表示部２への表示処理を説明するフローチャート。
【図７】表示部の表示画面の一例を示す図。
【図８】表示部の表示画面の一例を示す図。
【図９】データベースへアクセスしてデータを取り出す処理の一例を説明するフローチャート。
【図１０】データベースへアクセスしてデータを取り出す処理の他の例を説明するフローチャート。
【図１１】データベースへアクセスしてデータを取り出す処理の他の例を説明するフローチャート。
【図１２】データベースへアクセスしてデータを取り出す処理の他の例を説明するフローチャート。
【図１３】データベースへアクセスしてデータを取り出す処理の他の例を説明するフローチャート。
【図１４】データベースへアクセスしてデータを取り出す処理の他の例を説明するフローチャート。
【符号の説明】
１…制御装置、２…表示部、３…入力部、４…記憶部、５…アクセス用記憶部、６…カテゴリー記憶部、７…カテゴリーカウンター、８…項目記憶部、９…項目カウンター、１０…時刻記憶部、１１…時刻カウンター、１２…外部出力装置、１３…外部記憶装置、１４…時計部、１５…通信装置、１６…データベース、２０…表示欄、２１…アクセス頻度指示ボタン、２２…最新項目指示ボタン、２３…カテゴリー指示ボタン、２４…時刻アクセス指示ボタン、２５…優先時刻指示ボタン、３１…カテゴリーの種別
【図１】
0004071317.tif 000002
【図２】
0004071317.tif 000003
【図３】
0004071317.tif 000004
【図４】
0004071317.tif 000005
【図５】
0004071317.tif 000006
【図６】
0004071317.tif 000007
【図７】
0004071317.tif 000008
【図８】
0004071317.tif 000009
【図９】
0004071317.tif 000010
【図１０】
0004071317.tif 000011
【図１１】
0004071317.tif 000012
【図１２】
0004071317.tif 000013
【図１３】
0004071317.tif 000014
【図１４】
0004071317.tif 000015